(57)【要約】【課題】低コストで製造することができると共に、継手類の施工性を損なうことのない継手類の梱包・保温材を提供する。【解決手段】ヘッダー１０４に対し、運搬・保管時の梱包材と施工時の保温材とを兼ねる継手類の梱包・保温材１０であって、ヘッダー１０４を覆う２分割構造の一対のカバー材１１を備え、一対のカバー材１１は、同一の形状に形成されている。また、各カバー材１１は、接合面１１ａに凹部２１ａと凸部２１ｂとから成る嵌合部２１を有し、凹部２１ａと凸部２１ｂとは、各カバー材１１において線対称となる部位に配設されている。【選択図】図３
2016109231.tif 000002
【特許請求の範囲】
【請求項１】
ヘッダーを含む継手類に対し、運搬・保管時の梱包材と施工時の保温材とを兼ねる継手類の梱包・保温材であって、
前記継手類を覆う２分割構造の一対のカバー材を備え、
前記一対のカバー材は、同一の形状に形成されていることを特徴とする継手類の梱包・保温材。
【請求項２】
前記各カバー材は、接合面に凹部と凸部とから成る嵌合部を有し、
前記凹部と前記凸部とは、前記各カバー材における線対称となる部位に配設されていることを特徴とする請求項１に記載の継手類の梱包・保温材。
【請求項３】
オス状接続部を有する前記継手類に対し、
前記各カバー材は、前記オス状接続部を覆うオスカバー部と、前記オスカバー部をその基端部で切り離すための切断指標部と、を有していることを特徴とする請求項１または２に記載の継手類の梱包・保温材。
【請求項４】
前記切断指標部は、前記オスカバー部の基端部外周面に形成した「レ」字状のカット溝で構成されていることを特徴とする請求項３に記載の継手類の梱包・保温材。
【請求項５】
メス状接続部を有する前記継手類に対し、
前記各カバー材は、前記メス状接続部を覆うメスカバー部と、前記メスカバー部の先端に形成され、前記メス状接続部の先端部が臨むカバー開口部と、を有していることを特徴とする請求項１ないし４のいずれか一項に記載の継手類の梱包・保温材。
【請求項６】
前記メスカバー部の先端面は、前記メスカバー部に覆われた前記メス状接続部の先端面と、面一になるように形成されていることを特徴とする請求項５に記載の継手類の梱包・保温材。
【請求項７】
突出部の有無により非線対称形状を為す前記継手類に対し、
前記各カバー材は、前記突出部を覆う突出カバー部と、前記突出カバー部に対し線対称となるように配設したダミーカバー部と、を有していることを特徴とする請求項１ないし６のいずれか一項に記載の継手類の梱包・保温材。
【請求項８】
前記各カバー材は、相互に線対称となる、前記継手類の配管接続部を覆う接続カバー部および前記継手類の非配管接続部を覆う非接続カバー部を有し、
前記接続カバー部および前記非接続カバー部には、切り離しによりカバー開口部を形成するための切断指標部が設けられていることを特徴とする請求項１ないし６のいずれか一項に記載の継手類の梱包・保温材。
【請求項９】
前記一対のカバー材における相互の１の接合部外表面に貼着され、前記一対のカバー材のヒンジを兼ねるシールを、更に備えたことを特徴とする請求項１ないし８のいずれか一項に記載の継手類の梱包・保温材。
【請求項１０】
前記シールには、前記一対のカバー材が保温材を兼ねる旨の表示が付されていることを特徴とする請求項９に記載の継手類の梱包・保温材。
【発明の詳細な説明】
【技術分野】
【０００１】
本発明は、ヘッダーを含む継手類に対し、その運搬・保管時に梱包材として用いられると共に、施工時に保温材として用いられる継手類の梱包・保温材に関するものである。
【背景技術】
【０００２】
従来、この種の梱包・保温材として、給湯管や給水管の分岐部に用いる配管ヘッダー用の配管ヘッダー固定箱が知られている（特許文献１参照）。この配管ヘッダー固定箱は、配管ヘッダーを輸送、保管する際に梱包箱として用いられ、また配管ヘッダーを配管施工する際に断熱性を有する配管施工用ブラケットとして用いられる。
配管ヘッダー固定箱は、配管ヘッダーが嵌合する発泡合成樹脂製の受け箱と、受け箱の蓋となる発泡合成樹脂製の蓋箱と、で構成されている。受け箱には、配管ヘッダーの下半部が嵌合する嵌合凹部が設けられる一方、蓋箱には、配管ヘッダーの上半部が嵌合する凹部が設けられている。また、受け箱および蓋箱には、配管ヘッダーの流入口および複数の分岐管が臨む複数の開口が設けられている。さらに、受け箱の底部には木製の基板が埋め込み配置され、且つ受け箱の周囲四隅には木軸がそれぞれ埋設されている。
輸送、保管時には、配管ヘッダーを受け箱および蓋箱で梱包する。また、配管施工時には、受け箱を、基板を介してスラブ等にねじ止め固定した後、配管ヘッダーの流入口および分岐管に配管接続が為され、さらに蓋箱が木軸にねじ止めされる。
【先行技術文献】
【特許文献】
【０００３】
【特許文献１】特開平９−４１４３８号公報
【発明の概要】
【発明が解決しようとする課題】
【０００４】
このような、従来の配管ヘッダー固定箱では、発泡合成樹脂製の受け箱の形態と発泡合成樹脂製の蓋箱の形態とが異なるため、別々に成形する必要があった。このため、受け箱用の金型と蓋箱用の金型とが必要となり、製造コストが嵩む問題があった。
また、受け箱が、配管ヘッダーの配管施工用ブラケット（支持部材）を兼ねるため、スラブ等に固定した受け箱に配管ヘッダーをセットした状態で、配管ヘッダーに配管接続を行う必要があった。このため、配管ヘッダーへの配管接続作業（保温材の接続作業を含む）が煩雑になる問題があった。
【０００５】
本発明は、低コストで製造することができると共に、継手類の施工性を損なうことのない継手類の梱包・保温材を提供することを課題としている。
【課題を解決するための手段】
【０００６】
本発明の継手類の梱包・保温材は、ヘッダーを含む継手類に対し、運搬・保管時の梱包材と施工時の保温材とを兼ねる継手類の梱包・保温材であって、継手類を覆う２分割構造の一対のカバー材を備え、一対のカバー材は、同一の形状に形成されていることを特徴とする。
【０００７】
この構成によれば、継手類を覆う一対のカバー材が、同一の形状に形成されているため、共通の金型等を用いて、一対のカバー材を製造することができる。したがって、一対のカバー材を低コストで製造することができる。また、継手類の施工時（配管接続を含む）には、一対のカバー材を取り外しておくことができ、継手類の施工性を損なうことがない。さらに、一対のカバー材は、梱包材および保温材として、継手類を包み込むように覆う形態であればよく、全体として単純な構造とすることができる。なお、各カバー材の肉厚は、保温材としての機能を優先したものであることが好ましい。
【０００８】
この場合、各カバー材は、接合面に凹部と凸部とから成る嵌合部を有し、凹部と凸部とは、各カバー材における線対称となる部位に配設されていることが好ましい。
【０００９】
この構成によれば、一対のカバー材の接合において、一方のカバー材の凸部が他方のカバー材の凹部に嵌合すると共に、一方のカバー材の凹部が他方のカバー材の凸部に嵌合する。これにより、継手類を収容した状態で、一対のカバー材を仮接合することができる。したがって、継手類の梱包作業や継手類に対する保温施工において、一対のカバー材をテーピング等により本接合する場合の作業性を向上させることができる。なお、各カバー材の大きさにもよるが、嵌合部は複数組分散して設けることが好ましい。
【００１０】
また、オス状接続部を有する継手類に対し、各カバー材は、オス状接続部を覆うオスカバー部と、オスカバー部をその基端部で切り離すための切断指標部と、を有していることが好ましい。
【００１１】
ところで、継手類のオス状接続部は、運搬・保管時において傷つかないように適切に保護する必要がある。一方で、施工時においてオス状接続部には、これを覆うように接続管側のメス状接続部が接続される。
この構成によれば、運搬・保管時において、オスカバー部によりオス状接続部を保護するように梱包することができる。また、施工時において、切断指標部に沿ってオスカバー部を切り離すことで、接続管側との干渉を防止し且つ接続管側の保温材との接合を容易にする。なお、切断指標部は、オス状接続部の軸線に直交する切断を指標することが好ましい。
【００１２】
この場合、切断指標部は、オスカバー部の基端部外周面に形成した「レ」字状のカット溝で構成されていることが好ましい。
【００１３】
この構成によれば、「レ」字状のカット溝は、カッターによる切断ガイド溝として機能するため、オスカバー部を所定の位置で適切に切り離すことを可能とする。また、カッターによる切断端が平坦面となるため、接続管側の保温材との接合を適切且つ容易に行うことができる。
【００１４】
また、メス状接続部を有する継手類に対し、各カバー材は、メス状接続部を覆うメスカバー部と、メスカバー部の先端に形成され、メス状接続部の先端部が臨むカバー開口部と、を有していることが好ましい。
【００１５】
この場合、メスカバー部の先端面は、メスカバー部に覆われたメス状接続部の先端面と、面一になるように形成されていることが好ましい。
【００１６】
この構成によれば、メスカバー部の先端に、メス状接続部の先端部が臨むカバー開口部が形成されているため、施工時において、メスカバー部の一部を切断する必要がなく、且つ接続管側の保温材との接合を適切に行うことができる。
【００１７】
さらに、突出部の有無により非線対称形状を為す継手類に対し、各カバー材は、突出部を覆う突部カバー部と、突出カバー部に対し線対称となるように配設したダミーカバー部と、を有していることが好ましい。
【００１８】
この構成によれば、一対のカバー材に対し、継手類を左右反転した状態であっても適切に収容することができる。なお、継手類の突出部が配管接続部である場合には、部分カバー部およびダミーカバー部に切断指標部を設けることが好ましい。具体的には、配管接続部がオス状接続部である場合には、オス状接続部の基端部に対応する位置に切断指標部を、またメス状接続部である場合には、メス状接続部の先端部に対応する位置に切断指標部を設ける。
【００１９】
また、各カバー材は、相互に線対称となる、継手類の配管接続部を覆う接続カバー部および継手類の非配管接続部を覆う非接続カバー部を有し、接続カバー部および非接続カバー部には、切り離しによりカバー開口部を形成するための切断指標部が設けられていることが好ましい。
【００２０】
この構成によれば、一対のカバー材に対し、継手類を左右反転した状態であっても適切に収容することができる。また、接続カバー部および非接続カバー部に形成された切断指標部により、継手類の配管接続部に接続配管を繋ぎ込むためのカバー開口部を、簡単且つ適切に形成することができる。
【００２１】
一方、一対のカバー材における相互の１の接合部外表面に貼着され、一対のカバー材のヒンジを兼ねるシールを、更に備えることが好ましい。
【００２２】
この構成によれば、シールを中心に、一対のカバー材を開くように開放することで、これに梱包されている継手類を簡単に取り出すことができる。また、一対のカバー材は、継手類を取り出してから保温材として施工するまでの間にもシールにより繋がれているため、その紛失を抑制することができる。
【００２３】
この場合、シールには、一対のカバー材が保温材を兼ねる旨の表示が付されていることが好ましい。
【００２４】
この構成によれば、シールの表示により、施工者に一対のカバー材が保温材を兼ねることを認識させることができ、一対のカバー材が廃棄されてしまうのを未然に防止することができる。
【図面の簡単な説明】
【００２５】
【図１】実施形態に係る給湯配管システム（ヘッダー方式）のシステム図である。
【図２】実施形態に係る給湯配管システム（分岐方式）のシステム図である。
【図３】実施形態（第１実施形態）に係るヘッダー用の梱包・保温材の構造図である。
【図４】実施形態（第２実施形態）に係るオスアダプター用の梱包・保温材の構造図である。
【図５】実施形態（第３実施形態）に係るメスアダプター用の梱包・保温材の構造図である。
【図６】実施形態（第４実施形態）に係るチーズ用の梱包・保温材の構造図である。
【図７】第５実施形態に係るオスアダプター用の梱包・保温材の構造図である。
【発明を実施するための形態】
【００２６】
以下、添付の図面を参照して、本発明の一実施形態に係る継手類の梱包・保温材について説明する。この梱包・保温材は、継手類に対し、運搬・保管時の梱包材と施工時の保温材とを兼ねるものであり、保温や結露防止を必要とする給湯管や給水管の継手類に用いられる。以下、給湯管の継手類に用いられる梱包・保温材について説明するが、本実施形態の継手類は、特殊な給湯配管システムに起因して二重構造の特殊な構造および形態を有している。そこで、本実施形態の梱包・保温材を説明する前に、この給湯配管システムおよびこれに用いる継手類について説明する。
【００２７】
実施形態の給湯配管システムは、いわゆる個別方式の給湯配管システムに属するものである。個別方式の給湯配管システムには、主に集合住宅に採用されるヘッダー方式、および主に戸建住宅に採用される先分岐方式がある。ここでは、ヘッダー方式および先分岐方式の給湯配管システムについて簡単に説明する。
【００２８】
図１は、ヘッダー方式の給湯配管システムを表している。このヘッダー方式は、給湯熱源となる瞬間式のガス湯沸かし器１０１と、ガス湯沸かし器１０１に併設した昇温給湯器１０２と、ガス湯沸かし器１０１と昇温給湯器１０２とを接続する接続管１０３と、昇温給湯器１０２の近傍に配設したヘッダー１０４（給湯ヘッダー）と、昇温給湯器１０２とヘッダー１０４とを接続する給湯往主管１０５および給湯返主管１０６と、ヘッダー１０４と混合栓等の各給湯端末１０７とを接続する複数本の個別給湯管１０８と、で構成されている。
【００２９】
各個別給湯管１０８は、樹脂製の内管１１１と外管１１２から成る二重管で構成されており、内管１１１の内部に給湯往路Ａが構成され、内管１１１と外管１１２との間隙に給湯返路Ｂが構成されている。同様に、ヘッダー１０４も、給湯往路Ａおよび給湯返路Ｂを形成した二重構造を有している。また、昇温給湯器１０２は、循環ポンプ１１４、ヒーター１１５および温度センサー等を有している。さらに、個別給湯管１０８と給湯端末１０７側の器具繋込管１１７（混合栓の一部品或いは器具立上げ管）との接続部分には、給湯往路Ａの下流端と給湯返路Ｂの上流端とを連通する端末給湯管継手１１０が介設されている。そして、複数の給湯端末１０７は、例えば洗面化粧台の混合栓、浴室の混合栓およびシステムキッチンの混合栓等で構成されている。
【００３０】
給湯端末１０７の混合栓を開放操作すると、ガス湯沸かし器１０１で昇温された温水が、ヘッダー１０４および個別給湯管１０８を介して給湯端末１０７に供給される。また、温水の非供給時には、昇温給湯器１０２から端末給湯管継手１１０に至る給湯往路Ａと、この端末給湯管継手１１０から昇温給湯器１０２に至る給湯返路Ｂとで構成される閉ループ内の温水を、ヒーター１１５で温めつつ、循環ポンプ１１４により循環させる。これにより、閉ループ内の温水を所定の温度（例えば４５℃）に維持され、給湯端末１０７から瞬時に温水を供給できるようにしている。
【００３１】
このように、ヘッダー方式の給湯配管システムでは、特殊な継手類として、二重構造のヘッダー１０４および端末給湯管継手１１０が用いられている。また、端末給湯管継手１１０として、接続される器具繋込管１１７の種別に対応するように、後述するオスアダプター１２１やメスアダプター１２２の他、胴長オスアダプター、異形ソケット等が用意されている。
【００３２】
図２は、先分岐方式の給湯配管システムを表している。この先分岐方式では、昇温給湯器１０２から各給湯端末１０７に向かって大まかに給湯主管１３１が配管され、さらにこの給湯主管１３１から分岐した複数本の給湯枝管１３２が各給湯端末１０７に向かって配管されている。給湯主管１３１および給湯枝管１３２は、上記の個別給湯管１０８と同様に二重管で構成されている。
【００３３】
昇温給湯器１０２から延びる給湯往主管１０５および給湯返主管１０６と、給湯主管１３１とは、二重構造の元分岐チーズ１３４を介して接続されている。また、給湯主管１３１と各給湯枝管１３２とは、二重構造のチーズ１３５を介して接続されている。さらに、給湯枝管１３２における給湯端末１０７への立ち上がり部分には、二重構造のエルボ１３６が介設されている。そして、各給湯枝管１３２と器具繋込管１１７とは、上記の端末給湯管継手１１０を介して接続されている。
【００３４】
この場合も、給湯端末１０７である混合栓を開放操作すると、ガス湯沸かし器１０１で昇温された温水が、給湯主管１３１および給湯枝管１３２を介して給湯端末１０７に供給される。また、温水の非供給時には、昇温給湯器１０２と各端末給湯管継手１１０との間の給湯往路Ａおよび給湯返路Ｂで構成される閉ループ内の温水を、温めつつ循環させることで、閉ループ内の温水を所定の温度に維持するようにしている。
【００３５】
このように、先分岐方式の給湯配管システムでは、特殊な継手類として、二重構造の元分岐チーズ１３４、チーズ１３５、エルボ１３６および上記と同様の端末給湯管継手１１０が用いられている。なお、この先分岐方式の給湯配管システムは、中央方式（セントラル方式）の給湯配管システムに端末に組み込むことも可能である。すなわち、上記の給湯往主管１０５および給湯返主管１０６に代えて、中央方式の給湯往管および給湯返管を、上記の元分岐チーズ１３４に繋ぎ込むようにする（ガス湯沸かし器１０１は不要）。このようにすれば、中央方式の例えばホテルや病院等における部屋内の給湯配管システムも構築可能である（瞬時に温水供給可能）。また、熱源として、ガス湯沸かし器１０１に代えて、電気式の給湯器や湯沸かし器を用いることも可能である。
【００３６】
本実施形態の給湯配管システムでは、ヘッダー方式および先分岐方式に対応すべく継手類として、ヘッダー１０４、オスアダプター１２１、メスアダプター１２２、胴長オスアダプター、異形ソケット、元分岐チーズ１３４、チーズ１３５およびエルボ１３６が用意されている。また、これら継手類は樹脂製のものでもよいが、本実施形態の継手類は、全て砲金製のもので構成されている。施工時において、これら継手類には本実施形態の梱包・保温材が設けられる。一方で、直管に相当する個別給湯管１０８、給湯主管１３１および給湯枝管１３２等には、保温材付のさや管１６１（後述する）が設けられるようになっている（図３〜図６参照）。
【００３７】
次に、上記継手類のうちのヘッダー１０４、オスアダプター１２１、メスアダプター１２２、チーズ１３５を例に、それぞれの梱包・保温材１０，３０，５０，７０について説明する。なお、梱包・保温材１０，３０，５０，７０は、ポリスチレンフォーム（発泡スチロール）の成形品で構成されている。
【００３８】
［第１実施形態］
図３は、ヘッダー１０４およびヘッダー１０４用の梱包・保温材１０を表している（第１実施形態）。同図に示すように、ヘッダー１０４には、ヘッダー本体１０４Ａの長手方向の一方の端部に、上記の給湯往主管１０５が接続される往主管接続口１５１（ねじ接合のメス）が設けられ、他方の端部にメクラ蓋１５２が設けられている。また、ヘッダー本体１０４Ａの外周面には、往主管接続口１５１の近傍に位置して、上記の給湯返主管１０６が接続される返主管接続口１５３（ねじ接合のメス）が突設されている。
【００３９】
さらに、返主管接続口１５３の反対側に位置して、ヘッダー本体１０４Ａの外周面には、予備を含めて横並びに５つの二重管接続口１５４が突設されている。そして、各二重管接続口１５４は、個別給湯管１０８の外管１１２が接続される外管接続口１５５（メカニカル接合）、および外管接続口１５５から大きく突出し、個別給湯管１０８の内管１１１が接続される内管接続口１５６（差込み接合）を有している。なお、５つの二重管接続口１５４は、等間隔で配設されると共に全体として左右対称に配設されている。
【００４０】
図３に示すように、ヘッダー１０４用の梱包・保温材１０は、ヘッダー１０４を覆う２分割構造の一対のカバー材１１を備えており、一対のカバー材１１は、同一の形状に形成されている（下側のカバー材１１のみ図示）。すなわち、梱包・保温材１０は、一対のカバー材１１を同一の形状とすべく、収容されるヘッダー１０４の全流路の軸線を含む平面を基準に、２分割構造としている。言い換えれば、梱包・保温材１０は、共通の金型により成形した２つのカバー材１１を抱き合わせるように接合して、構成されている。
【００４１】
一対のカバー材１１の内部空間は、梱包および保温を考慮し（無用な空間が生じないように）、ヘッダー１０４と略相補的形状に形成されている。また、各カバー材１１の肉厚は、保温材としての機能を優先した厚みとなっている。
【００４２】
各カバー材１１は、ヘッダー本体１０４Ａの上下半部を覆う本体カバー部１２と、各外管接続口１５５の上下半部を覆う複数（５つ）の枝管接続口カバー部１３と、往主管接続口１５１の上下半部を覆う往管接続口カバー部１４と、メクラ蓋１５２の上下半部を覆う蓋カバー部１５と、返主管接続口１５３の上下半部を覆う返管接続口カバー部１６（突部カバー部）と、返管接続口カバー部１６に対応して設けたダミーカバー部１７と、で一体に形成（成形）されている。
【００４３】
なお、枝管接続口カバー部１３は請求項に言うメスカバー部に相当し、往管接続口カバー部１４は請求項に言う接続カバー部に、蓋カバー部１５は請求項に言う非接続カバー部にそれぞれ相当する。また、返管接続口カバー部１６は請求項に言う突出カバー部に相当する。
【００４４】
一方、各カバー材１１は、最外端の２つの枝管接続口カバー部１３の一方の接合面１１ａに凹設した第１凹部２１ａ（図示右側）、および他方の接合面１１ａに凸設した第１凸部２１ｂ（図示左側）から成る第１嵌合部２１を有している。同様に、各カバー材１１は、往管接続口カバー部１４の接合面１１ａに凹設した第２凹部２２ａ、および蓋カバー部１５の接合面１１ａに凸設した第２凸部２２ｂから成る第２嵌合部２２を有している。さらに、各カバー材１１は、返管接続口カバー部１６とダミーカバー部１７との間に位置する本体カバー部１２の接合面１１ａにおいて、一方の半部に凹設した第３凹部２３ａ（図示右側）、および他方の半部に凸設した第３凸部２３ｂ（図示左側）から成る第３嵌合部２３を有している。
【００４５】
第１嵌合部２１、第２嵌合部２２および第３嵌合部２３は、それぞれの接合面１１ａの外側半部に一体に凹設および凸設されている。そして、第１嵌合部２１の第１凹部２１ａと第１凸部２１ｂとは、長手方向の中心線に対し左右対称に配置されている。同様に、第２嵌合部２２の第２凹部２２ａと第２凸部２２ｂ、および第３嵌合部２３の第３凹部２３ａと第３凸部２３ｂも、それぞれ左右対称に配置されている。
【００４６】
一対のカバー材１１を相互に接合すると、一方のカバー材１１の第１凹部２１ａ、第２凹部２２ａおよび第３凹部２３ａに、他方のカバー材１１の第１凸部２１ｂ、第２凸部２２ｂおよび第３凸部２３ｂがそれぞれ嵌合する。また同時に、一方のカバー材１１の第１凸部２１ｂ、第２凸部２２ｂおよび第３凸部２３ｂに、他方のカバー材１１の第１凹部２１ａ、第２凹部２２ａおよび第３凹部２３ａがそれぞれ嵌合する。これにより、一対のカバー材１１が仮接合される。
【００４７】
複数の枝管接続口カバー部１３は、等間隔で配設されると共に全体として左右対称に配設されている。各枝管接続口カバー部１３は、これに覆われる外管接続口１５５（メス状接続部）の先端部が臨むカバー開口部２５を有している。また、枝管接続口カバー部１３の先端面は、外管接続口１５５の先端面と、面一になるように形成されている。
【００４８】
図３（ａ）に仮想線で示すように、外管接続口１５５には、個別給湯管１０８の外管１１２が接続される。また同時に、枝管接続口カバー部１３の先端面には、個別給湯管１０８の保温材付のさや管１６１の端面が突き当てるように接合される。すなわち、施工時には、保温材を構成する一対のカバー材１１と、保温材付のさや管１６１とが連続するようになっている。
【００４９】
往管接続口カバー部１４と蓋カバー部１５とは、同一形状に形成され、且つ長手方向の中心線に対し左右対称に配置されている。この場合、ヘッダー１０４の往主管接続口１５１の端とメクラ蓋１５２の端とは、左右対称に配置されていないが、往管接続口カバー部１４と蓋カバー部１５とを左右対称に配置することにより、ヘッダー１０４を左右反転した姿勢でも収容できるようになっている。
【００５０】
一方、施工時において、往管接続口カバー部１４は、往主管接続口１５１に給湯往主管１０５が接続されるために、先端が開放されている必要がある。逆に、メクラ蓋１５２が臨む蓋カバー部１５は、先端が閉塞されている必要がある。そこで、左右対称配置の往管接続口カバー部１４および蓋カバー部１５には、それぞれ必要に応じて先端部を切り離し得るように、切断指標部２６が設けられている。
【００５１】
各切断指標部２６は、往管接続口カバー部１４および蓋カバー部１５の外周面（矩形の外周面）に、それぞれ形成した「レ」字状のカット溝２６ａで構成されている。カット溝２６ａは、収容したヘッダー１０４の往主管接続口１５１の先端と同位置となるように形成されている。施工時には、カッター（例えばクラフトカッター）を用い、往主管接続口１５１が臨む往管接続口カバー部１４または蓋カバー部１５の先端部を、カット溝２６ａに沿って切断する。
【００５２】
「レ」字状のカット溝２６ａは、一方の面（本体カバー部１２側の面）が、往管接続口カバー部１４および蓋カバー部１５の軸線に直交する面となっている。このため、この一方の面にカッターを宛がって（ガイドして）、往管接続口カバー部１４または蓋カバー部１５の先端部を切断することにより、直角の切断面と、給湯往主管１０５を往主管接続口１５１に接続するための開口部とが形成される。この場合も、切断面には、給湯往主管１０５の保温材付のさや管１６１が突き当てられるようにして、接合される。
【００５３】
なお、言うまでもないが、カット溝２６ａは成形により形成される。また、カット溝２６ａは、「Ｖ」や「Ｕ」字状の溝であってもよい。さらに、カット溝２６ａに代えて、切断指標となるラインを設けるようにしてもよい。
【００５４】
返管接続口カバー部１６とダミーカバー部１７とは、長手方向の中心線に対し左右対称に配置されている。この場合も、ヘッダー１０４を左右反転した姿勢で、返主管接続口１５３が適切に収容されるようになっている。また、施工時において、返管接続口カバー部１６の先端部およびダミーカバー部１７の先端部は、一方が解放され、他方が閉塞されている必要がある。そこで、左右対称配置の返管接続口カバー部１６およびダミーカバー部１７には、それぞれ必要に応じて先端部を切り離し得るように、上記と同様の切断指標部２６が設けられている。この場合も、切断指標部２６による切断面には、給湯返主管１０６の保温材付のさや管１６１が突き当てられるようにして、接合される。
【００５５】
このように構成された梱包・保温材１０において、ヘッダー１０４の運搬・保管時には、一対のカバー材１１内にヘッダー１０４を収容し、一対のカバー材１１を養生テープ等でテーピングを行って本接合とする。ヘッダー１０４を個別梱包した梱包・保温材１０は、その複数個をさらに段ボール箱に梱包し、管材代理店に出荷する。管材代理店は、段ボール箱のまま或いは他の段ボール箱に詰め替えてエンドユーザーである設備業者に納入する。
【００５６】
設備業者では、段ボール箱および梱包・保温材１０の梱包を解いて、ヘッダー１０４の施工、すなわち給湯配管システムの施工を行う。給湯配管システムの施工では、元側であるヘッダー１０４側から先側である端末給湯管継手１１０側に向かって作業を進める。ヘッダー１０４廻りにおいて、ヘッダー１０４に給湯往主管１０５、給湯返主管１０６および複数の個別給湯管１０８を繋ぎ込んだら、ヘッダー１０４に梱包・保温材１０を装着しこれを仮接合する。この場合、梱包・保温材１０は、予め往管接続口カバー部１４（または蓋カバー部１５）の先端部および返管接続口カバー部１６（またはダミーカバー部１７）の先端部を、切断指標部２６に沿って切断しておく。
【００５７】
そして、仮接合した梱包・保温材１０に、給湯往主管１０５および給湯返主管１０６の保温材付のさや管１６１の端をそれぞれ突き当てると共に、複数の個別給湯管１０８の保温材付のさや管１６１を突き当てる。ここで、梱包・保温材１０を、アルミテープ等の断熱テープでテーピングする（本接合）。なお、梱包・保温材１０とさや管１６１の端部は、これらに跨ぐ（連続させる）ようにテーピングを行うことが好ましい。
【００５８】
［第２実施形態］
図４は、オスアダプター１２１およびオスアダプター１２１用の梱包・保温材３０を表している（第２実施形態）。同図に示すように、オスアダプター１２１には、アダプター本体１２１Ａの一方の端部に、二重管接続口１５４である外管接続口１５５（メカニカル接合）および内管接続口１５６（差込み接合）が設けられ、他方の端部に、器具繋込管１１７が接続されるオス接続口１５８（ねじ接合のオス）が設けられている。また、この場合の内管接続口１５６は、内管１１１の接続を容易にすべく、アダプター本体１２１Ａ側に対し抜差し自在となるスリーブの形態を有している。このため、内管接続口１５６のみ取り外して、別途梱包するようにしてもよい。
【００５９】
図４に示すように、オスアダプター１２１用の梱包・保温材３０は、オスアダプター１２１を覆う２分割構造の一対のカバー材３１を備えており、一対のカバー材３１は、同一の形状に形成されている（下側のカバー材３１のみ図示）。この場合も、梱包・保温材３０は、共通の金型により成形した２つのカバー材３１を、略円筒状に抱き合わせるように接合して、構成されている。
【００６０】
各カバー材３１は、アダプター本体１２１Ａの上下半部を覆う本体カバー部３２と、本体カバー部３２の一方の端部から延び外管接続口１５５の上下半部を覆う外管接続口カバー部３３と、本体カバー部３２の一方の端部から延びオス接続口１５８（オス状接続部）の上下半部を覆うオスカバー部３４と、で一体に形成（成形）されている。なお、外管接続口カバー部３３は請求項に言うメスカバー部に相当する。
【００６１】
また、各カバー材３１は、一方の接合面３１ａに凹設した凹部３６ａ（図示上側）、および他方の接合面３１ａに凸設した凸部３６ｂ（図示下側）から成る嵌合部３６を有している。凹部３６ａおよび凸部３６ｂは、カバー材３１の軸線に対し線対称位置に配置されている。また、凹部３６ａおよび凸部３６ｂは、本体カバー部３２から外管接続口カバー部３３に亘る接合面３１ａの外側半部に一体に凹設および凸設されている。
【００６２】
この場合も、一対のカバー材３１を相互に接合すると、一方のカバー材３１の凹部３６ａに、他方のカバー材３１の凸部３６ｂが嵌合すると同時に、一方のカバー材３１の凸部３６ｂに、他方のカバー材３１の凹部３６ａが嵌合する。これにより、一対のカバー材３１が仮接合される。
【００６３】
外管接続口カバー部３３は、これに覆われる外管接続口１５５の先端部が臨む元側カバー開口部４１を有している。また、外管接続口カバー部３３の先端面は、外管接続口１５５の先端面と、面一になるように形成されている。同様に、オスカバー部３４は、これに覆われるオス接続口１５８の先端部が臨む先側カバー開口部４２を有している。また、オスカバー部３４の先端面は、オス接続口１５８の先端面と、面一になるように形成されている。
【００６４】
ところで、施工時におけるオス接続口１５８には、器具繋込管１１７の雄ねじ部が螺合（接続）する。このため、梱包時におけるオスカバー部３４は、オス接続口１５８を保護するために必要であるが、施工時のオスカバー部３４は、邪魔になる。そこで、オスカバー部３４の基端部には、オスカバー部３４を切り離し得るように、切断指標部３８が設けられている。すなわち、本体カバー部３２とオスカバー部３４との境界部分における外周面には、上記と同様の「レ」字状のカット溝３８ａが形成されている。
【００６５】
このように構成された梱包・保温材３０でも、オスアダプター１２１の運搬・保管時には、一対のカバー材３１内にオスアダプター１２１を収容し、養生テープ等でテーピングを行って本接合とする。オスアダプター１２１も、梱包・保温材３０に個別梱包し、さらに段ボール箱に梱包して出荷される。
【００６６】
施工時には、オスアダプター１２１に個別給湯管１０８（または給湯枝管１３２）および器具繋込管１１７を繋ぎ込んだら、オスアダプター１２１に梱包・保温材３０を装着しこれ仮接合する。この場合も、梱包・保温材３０は、予めオスカバー部３４を、切断指標部３８に沿って切断しておく。そして、仮接合した梱包・保温材３０に、個別給湯管１０８（または給湯枝管１３２）に保温材付のさや管１６１を突き当て、梱包・保温材３０を、アルミテープ等の断熱テープでテーピングする（本接合）。
【００６７】
［第３実施形態］
図５は、メスアダプター１２２およびメスアダプター１２２用の梱包・保温材５０を表している（第３実施形態）。同図に示すように、メスアダプター１２２には、アダプター本体１２２Ａの一方の端部に、二重管接続口１５４である外管接続口１５５（メカニカル接合）および内管接続口１５６（差込み接合）が設けられ、他方の端部に、器具繋込管１１７が接続されるメス接続口１５９（ねじ接合のメス）が設けられている。この場合も、内管接続口１５６は、アダプター本体１２２Ａ側に対し抜差し自在となるスリーブの形態を有している。
【００６８】
図５に示すように、メスアダプター１２２用の梱包・保温材５０は、メスアダプター１２２を覆う２分割構造の一対のカバー材５１を備えており、一対のカバー材５１は、同一の形状に形成されている（下側のカバー材５１のみ図示）。この場合も、梱包・保温材５０は、共通の金型により成形した２つのカバー材５１を、略円筒状に抱き合わせるように接合して、構成されている。
【００６９】
各カバー材５１は、アダプター本体１２２Ａの上下半部を覆う本体カバー部５２と、本体カバー部５２の一方の端部から延び外管接続口１５５の上下半部を覆う外管接続口カバー部５３と、本体カバー部５２の他方の端部から延びメス接続口１５９（メス状接続部）の上下半部を覆うメスカバー部５４と、で一体に形成（成形）されている。
【００７０】
また、各カバー材５１は、一方の接合面５１ａに凹設した凹部５６ａ（図示上側）、および他方の接合面５１ａに凸設した凸部５６ｂ（図示下側）から成る嵌合部５６を有している。凹部５６ａおよび凸部５６ｂは、カバー材５１の軸線に対し線対称位置に配置されている。また、凹部５６ａおよび凸部５６ｂは、本体カバー部５２からメスカバー部５４に亘る接合面５１ａの外側半部に一体に凹設および凸設されている。
【００７１】
一対のカバー材５１を相互に接合すると、一方のカバー材５１の凹部５６ａに、他方のカバー材５１の凸部５６ｂが嵌合すると同時に、一方のカバー材５１の凸部５６ｂに、他方のカバー材５１の凹部５６ａが嵌合する。これにより、一対のカバー材５１が仮接合される。
【００７２】
この場合も、外管接続口カバー部５３は、これに覆われる外管接続口１５５の先端部が臨む元側カバー開口部６１を有している。また、外管接続口カバー部５３の先端面は、外管接続口１５５の先端面と、面一になるように形成されている。同様に、メスカバー部５４は、これに覆われるメス接続口１５９の先端部が臨む先側カバー開口部６２を有している。また、メスカバー部５４の先端面は、メス接続口１５９の先端面と、面一になるように形成されている。
【００７３】
このように構成された梱包・保温材５０でも、メスアダプター１２２の運搬・保管時には、一対のカバー材５１内にメスアダプター１２２を収容し、養生テープ等でテーピングを行って本接合とする。メスアダプター１２２も、梱包・保温材５０に個別梱包し、さらに段ボール箱に梱包して出荷される。
【００７４】
施工時には、メスアダプター１２２に個別給湯管１０８（または給湯枝管１３２）および器具繋込管１１７を繋ぎ込んだら、メスアダプター１２２に梱包・保温材５０を装着しこれ仮接合する。そして、仮接合した梱包・保温材５０に、個別給湯管１０８（または給湯枝管１３２）に保温材付のさや管１６１を突き当て、梱包・保温材５０を、アルミテープ等の断熱テープでテーピングする（本接合）。
【００７５】
［第４実施形態］
図６は、チーズ１３５およびチーズ１３５用の梱包・保温材７０を表している（第４実施形態）。同図に示すように、チーズ１３５には、Ｔ字状のチーズ本体１３５Ａに対し、主管下流側に第１二重管接続口１５４ａが、主管上流側に第２二重管接続口１５４ｂが、枝管側に第３二重管接続口１５４ｃが、それぞれ設けられている。また、これら二重管接続口１５４は、いずれも外管接続口１５５（メカニカル接合）および内管接続口１５６（差込み接合）を有している。
【００７６】
そして、第１二重管接続口１５４ａには、給湯主管１３１が接続され、第２二重管接続口１５４ｂには、給湯主管１３１または給湯枝管１３２（最遠端のみ）が接続され、第３二重管接続口１５４ｃには、給湯枝管１３２が接続されるようになっている。この場合には、第２二重管接続口１５４ｂおよび第３二重管接続口１５４ｃの内管接続口１５６が、チーズ本体１３５Ａ側に対し抜差し自在となるスリーブの形態を有している。
【００７７】
図６に示すように、チーズ１３５用の梱包・保温材７０は、チーズ１３５を覆う２分割構造の一対のカバー材７１を備えており、一対のカバー材７１は、同一の形状に形成されている（下側のカバー材７１のみ図示）。この場合も、梱包・保温材７０は、共通の金型により成形した２つのカバー材７１を抱き合わせるように接合して、構成されている。
【００７８】
各カバー材７１は、チーズ本体１３５Ａの上下半部を覆う本体カバー部７２と、第１二重管接続口１５４ａの上下半部を覆う第１接続口カバー部７３と、第２二重管接続口１５４ｂの上下半部を覆う第２接続口カバー部７４と、第３二重管接続口１５４ｃの上下半部を覆う第３接続口カバー部７５と、で一体に形成（成形）されている。なお、第１接続口カバー部７３、第２接続口カバー部７４および第３接続口カバー部７５は、いずれも請求項に言うメスカバー部に相当する。
【００７９】
この場合も、第１接続口カバー部７３は、これに覆われる外管接続口１５５の先端部が臨む元側カバー開口部８１を有している。また、第１接続口カバー部７３の先端面は、外管接続口１５５の先端面と、面一になるように形成されている。同様に、第２接続口カバー部７４は、先側カバー開口部８２を有し、第２接続口カバー部７４の先端面は、外管接続口１５５の先端面と、面一になるように形成されている。さらに、第３接続口カバー部７５は、枝側カバー開口部８３を有し、第３接続口カバー部７５の先端面は、外管接続口１５５の先端面と、面一になるように形成されている。
【００８０】
そして、第１接続口カバー部７３の先端面および第２接続口カバー部７４の先端面には、それぞれ給湯主管１３１の保温材付のさや管１６１が突き当てられるようにして、接合される。また、第３接続口カバー部７５の先端面には、給湯枝管１３２の保温材付のさや管１６１が突き当てられるようにして、接合される。
【００８１】
このように構成された梱包・保温材７０でも、チーズ１３５の運搬・保管時には、一対のカバー材７１内にチーズ１３５を収容し、養生テープ等でテーピングを行って本接合とする。チーズ１３５も、梱包・保温材５０に個別梱包し、さらに段ボール箱に梱包して出荷される。
【００８２】
施工時には、チーズ１３５に給湯主管１３１または給湯枝管１３２を繋ぎ込んだら、チーズ１３５に梱包・保温材７０を装着しこれ仮接合する。そして、仮接合した梱包・保温材７０に、給湯主管１３１および給湯枝管１３２に保温材付のさや管１６１を突き当て、梱包・保温材７０を、アルミテープ等の断熱テープでテーピングする（本接合）。
【００８３】
以上のように、これら実施形態の梱包・保温材１０，３０，５０，７０によれば、ヘッダー１０４やオスアダプター１２１等の継手類を覆う一対のカバー材１１，３１，５１，７１が、同一の形状に形成されているため、共通の金型等を用いて、一対のカバー材１１，３１，５１，７１を製造することができる。したがって、一対のカバー材１１，３１，５１，７１を低コストで製造することができる。また、継手類の施工時（配管接続を含む）には、一対のカバー材１１，３１，５１，７１を取り外しておくことができ、継手類の施工性を損なうことがない。
【００８４】
また、一対のカバー材１１，３１，５１，７１の接合において、一方のカバー材１１，３１，５１，７１の凸部２１ｂ等が他方のカバー材１１，３１，５１，７１の凹部２１ａ等に嵌合すると共に、一方のカバー材１１，３１，５１，７１の凹部２１ａ等が他方のカバー材１１，３１，５１，７１の凸部２１ｂ等に嵌合する。これにより、継手類を収容した状態で、一対のカバー材１１，３１，５１，７１を仮接合することができる。したがって、継手類の梱包作業や継手類に対する保温施工において、一対のカバー材１１，３１，５１，７１をテーピング等により本接合する場合の作業性を向上させることができる。
【００８５】
そもそも、本実施形態の梱包・保温材１０，３０，５０，７０は、継手類の梱包材と保温材とを兼ねるため、資源の有効活用および産業廃棄物の削減を可能とする。しかも、保温施工における作業性をも向上させることができる。
【００８６】
なお、これらの実施形態において、継手類として二重構造の特殊なものを例にその梱包・保温材１０，３０，５０，７０について説明したが、本発明の梱包・保温材は、上記の胴長オスアダプター、異形ソケット、元分岐チーズ１３４およびエルボ１３６の他、一般的な継手類の梱包材兼保温材として、適用できることは、言うまでもない。また、給湯管や給水管の他、保温や結露防止を必要とする各種配管の継手類に適用することができる。
【００８７】
［第５実施形態］
次に、図７を参照して、第５実施形態について説明する。この実施形態は、上記のヘッダー用、オスアダプター用、メスアダプター用、チーズ用を含め、各種配管の継手類に適用可能な梱包・保温材である。ここでは、オスアダプター用の梱包・保温材３０（第２実施形態）を例に説明を進める。なお、この第５実施形態では、主に第２実施形態と異なる部分について説明する。
【００８８】
図７に示すように、このオスアダプター用の梱包・保温材３０Ａは、第２実施形態の梱包・保温材３０に加えて、その一方の接合部外表面である外側面３１ｂにシール９１を備えている。すなわち、オスアダプター用の梱包・保温材３０Ａには、一対のカバー材３１の一方の外側面３１ｂに、接合面３１ａを跨ぐように，広く粘着剤付きのシール９１が貼着されている（図７（ａ）および（ｂ）参照）。
【００８９】
この場合、シール９１は、一対のカバー材３１を開き形式で開閉するヒンジとして機能している。梱包されているオスアダプター１２１を取り出す場合には、シール９１を中心に一対のカバー材３１を開放する。一方、施工したオスアダプター１２１に一対のカバー材３１を取り付ける（保温施工）場合には、一対のカバー材３１を開放した状態でオスアダプター１２１に被せ、これを包み込むように閉塞する（図７（ｂ）および（ｃ）参照）。なお、オスアダプター１２１を梱包した一対のカバー材３１は、他方の外側面３１ｂを粘着テープ（養生テープ等）で、止めておくようにする。
【００９０】
また、シール９１の表面には、注意書き表示９２と内容表示９３が印刷されている。注意書き表示９２には、「梱包兼保温材  使用方法」の文字が白抜き文字で印刷されている。また、内容表示９３には、「本梱包材（兼保温材）は捨てずに保温材として、使用下さい。…」の文字が印刷されている（図７（ａ）参照）。すなわち、内容表示９３には、一対のカバー材３１が保温材を兼ねる旨、の表示が付されている。
【００９１】
このような構成では、シール９１が、一対のカバー材３１のヒンジとして機能すると共に、一対のカバー材３１の取扱い方法を喚起する。これにより、一対のカバー材３１は、継手類を取り出してから保温材として施工するまでの間にもシール９１によって繋がれており、その紛失を抑制することができる。また、シール９１の内容表示９３により、施工者に一対のカバー材３１が保温材を兼ねることを認識させることができ、保温材（一対のカバー材３１）が廃棄されてしまうのを有効に防止することができる。
【符号の説明】
【００９２】
１０  梱包・保温材、１１  カバー材、１１ａ  接合面、１２  本体カバー部、１３  枝管接続口カバー部、１４  往管接続口カバー部、１５  蓋カバー部、１６  返管接続口カバー部、１７  ダミーカバー部、２１  第１嵌合部、２１ａ  凹部、２１ｂ  凸部、２５  カバー開口部、２６  切断指標部、２６ａ  カット溝、３０，３０Ａ  梱包・保温材、３１  カバー材、３１ａ  接合面、３２  本体カバー部、３３  外管接続口カバー部、３４  オスカバー部、３６  嵌合部、３８  切断指標部、５０  梱包・保温材、５１  カバー材、５１ａ  接合面、５２  本体カバー部、５３  外管接続口カバー部、５４  メスカバー部、５６  嵌合部、６１  元側カバー開口部、６２  先側カバー開口部、７０  梱包・保温材、７１  カバー材、７２  本体カバー部、７３  第１接続口カバー部、７４  第２接続口カバー部、７５  第３接続口カバー部、８１  元側カバー開口部、８２  先側カバー開口部、８３  枝側カバー開口部、９１  シール、９３  内容表示、１０４  ヘッダー、１２１  オスアダプター、１２２  メスアダプター、１３５  チーズ
【図１】
2016109231.tif 000003
【図２】
2016109231.tif 000004
【図３】
2016109231.tif 000005
【図４】
2016109231.tif 000006
【図５】
2016109231.tif 000007
【図６】
2016109231.tif 000008
【図７】
2016109231.tif 000009